(57)【特許請求の範囲】
【請求項１】
情報処理装置と携帯情報端末装置とを有する携帯情報端末連係システムであって、
前記情報処理装置は前記携帯情報端末装置の外観を示す端末ＧＵＩ（Graphical  User  Interface）を表示させるＧＵＩ表示制御手段と、
前記端末ＧＵＩ（Graphical  User  Interface）を用いて入力操作が行われたときに、その入力操作に対応する操作が前記携帯情報端末装置で行われたときの動作を前記携帯情報端末装置に実行させる動作制御手段と、
前記携帯情報端末装置の外観の変化を検知する検知手段と、
前記検知手段が検知した前記外観の変化に応じて前記端末ＧＵＩ（Graphical  User  Interface）を変更する端末ＧＵＩ変更手段とを有することを特徴とする携帯情報端末連係システム。
【請求項２】
前記情報処理装置は前記端末ＧＵＩ（Graphical  User  Interface）を変更する変更操作を行う操作手段を更に有し、
前記端末ＧＵＩ変更手段は、前記操作手段による前記変更操作にしたがい前記端末ＧＵＩ（Graphical  User  Interface）を変更することを特徴とする請求項１記載の携帯情報端末連係システム。
【請求項３】
前記情報処理装置は前記携帯情報端末装置から、該携帯情報端末装置の機種情報または仕向地情報を受信する受信手段を更に有し、
前記ＧＵＩ表示制御手段は、前記受信手段が受信した前記機種情報または仕向地情報に基づいて前記端末ＧＵＩ（Graphical  User  Interface）を表示させることを特徴とする請求項１または２記載の携帯情報端末連係システム。
【請求項４】
携帯情報端末装置と連係した動作を行う連係処理装置としてコンピュータを作動させるための連係処理プログラムであって、前記コンピュータに、
前記携帯情報端末装置の外観を示す端末ＧＵＩ（Graphical  User  Interface）を表示させるＧＵＩ表示制御機能と、
前記端末ＧＵＩ（Graphical  User  Interface）を用いて入力操作が行われたときに、その入力操作に対応する操作が前記携帯情報端末装置で行われたときの動作を前記携帯情報端末装置に実行させる動作制御機能と、
前記携帯情報端末装置の外観の変化を検知する検知機能と、
前記検知手段が検知した前記外観の変化に応じて前記端末ＧＵＩ（Graphical  User  Interface）を変更する端末ＧＵＩ変更機能とを実現させるための連係処理プログラム。
【請求項５】
前記端末ＧＵＩ変更機能は、前記端末ＧＵＩ（Graphical  User  Interface）を変更する変更操作を行う操作手段を用いた前記変更操作にしたがい前記端末ＧＵＩ（Graphical  User  Interface）を変更することを特徴とする請求項４記載の連係処理プログラム。
【請求項６】
前記携帯情報端末装置から、該携帯情報端末装置の機種情報または仕向地情報を受信する受信機能を前記コンピュータに実現させ、
前記ＧＵＩ表示制御機能は、前記携帯情報端末装置から、前記受信機能によって受信した前記機種情報または仕向地情報に基づいて前記端末ＧＵＩ（Graphical  User  Interface）を表示させることを特徴とする請求項４または５記載の連係処理プログラム。
【請求項７】
前記検知機能は、前記携帯情報端末装置のキーパッドの出し入れがあったときに前記外観の変化を検知し、
前記端末ＧＵＩ変更機能は、前記検知機能により検知した前記キーパッドの出し入れに応じて前記端末ＧＵＩ（Graphical  User  Interface）を変更することを特徴とする請求項４〜６のいずれか一項記載の連係処理プログラム。
【請求項８】
前記ＧＵＩ表示制御機能は、前記携帯情報端末装置におけるＬＣＤ表示部の取外し状態または組込状態の外観を示す前記端末ＧＵＩ（Graphical  User  Interface）を表示させることを特徴とする請求項４〜７のいずれか一項記載の連係処理プログラム。
【請求項９】
前記ＧＵＩ表示制御機能は、前記携帯情報端末装置におけるＬＣＤ表示部が取り外されかつ拡大された状態の外観を示す前記端末ＧＵＩ（Graphical  User  Interface）を表示させることを特徴とする請求項４〜８のいずれか一項記載の連係処理プログラム。
【請求項１０】
前記検知機能は、前記携帯情報端末装置の画面表示方向がポートレート表示からランドスケープ表示またはランドスケープ表示からポートレート表示へ切り替えられたときに前記外観の変化を検知し、
前記端末ＧＵＩ変更機能は、前記検知機能により検知した前記画面表示方向に応じて前記端末ＧＵＩ（Graphical  User  Interface）を変更することを特徴とする請求項４〜９のいずれか一項記載の連係処理プログラム。
【請求項１１】
前記ＧＵＩ表示制御機能は、前記携帯情報端末装置の画面表示方向が前記ポートレート表示か前記ランドスケープ表示であるかに応じて前記端末ＧＵＩ（Graphical  User  Interface）を縦方向または横方向で表示させる請求項４〜１０のいずれか一項記載の連係処理プログラム。
【請求項１２】
表示画面のサイズ情報および解像度情報の読取機能を前記コンピュータに実現させ、
前記ＧＵＩ表示制御機能は、前記読取機能により読み取った前記サイズ情報および解像度情報を用いて前記携帯情報端末装置の外観と同等サイズの前記端末ＧＵＩ（Graphical  User  Interface）を表示させることを特徴とする請求項４〜１１のいずれか一項記載の連係処理プログラム。
【請求項１３】
携帯情報端末装置とともに携帯情報端末連係システムを構成する連係処理装置であって、
前記携帯情報端末装置の外観を示す端末ＧＵＩ（Graphical  User  Interface）を表示させるＧＵＩ表示制御手段と、
前記端末ＧＵＩ（Graphical  User  Interface）を用いて入力操作が行われたときに、その入力操作と対応する操作が前記携帯情報端末装置で行われたときの動作を前記携帯情報端末装置に実行させる動作制御手段と、
前記携帯情報端末装置の外観の変化を検知する検知手段と、
前記検知手段が検知した前記外観の変化に応じて前記端末ＧＵＩ（Graphical  User  Interface）を変更する端末ＧＵＩ変更手段とを有することを特徴とする連係処理装置。
【請求項１４】
前記端末ＧＵＩ（Graphical  User  Interface）を変更する変更操作を行う操作手段を更に有し、
前記端末ＧＵＩ変更手段は、前記操作手段による前記変更操作にしたがい前記端末ＧＵＩ（Graphical  User  Interface）を変更することを特徴とする請求項１３記載の連係処理装置。
【請求項１５】
前記携帯情報端末装置から、該携帯情報端末装置の機種情報または仕向地情報を受信する受信手段を更に有し、
前記ＧＵＩ表示制御手段は、前記受信手段が受信した前記機種情報または仕向地情報に基づいて前記端末ＧＵＩ（Graphical  User  Interface）を表示させることを特徴とする請求項１３または１４記載の連係処理装置。
【発明の詳細な説明】
【技術分野】
【０００１】
本発明は、情報処理装置の動作を携帯情報端末装置の動作に連係させる携帯情報端末連係システムおよび連係処理プログラム並びに携帯情報端末装置の動作と連係した動作を行う連係処理装置に関する。
【背景技術】
【０００２】
従来、携帯可能な電子機器として色々のタイプの装置が普及している。例えば、携帯電話装置、携帯情報端末装置（Personal  Digital  Assistants）、ノート型のパーソナルコンピュータなどが知られている。この種の電子機器では、ディスプレイユニットを有し、そのディスプレイユニットに組み込まれた表示装置（例えば液晶表示パネル）に映像、図形、記号などが表示される。
【０００３】
この種の電子機器に関し、例えば特許文献１には、パーソナルコンピュータの表示画面上にＧＵＩ（Graphical  User  Interface）を表示し、そのＧＵＩ（Graphical  User  Interface）における操作ボタンをクリックすることにより、リモコンと同じ信号を発生させるようにした信号発生装置が開示されている。
【特許文献１】特開平１０−２００９７１号公報
【発明の開示】
【発明が解決しようとする課題】
【０００４】
ところで、携帯可能な従来の電子機器（例えば、携帯情報端末装置）では、ディスプレイユニットとともに、ユーザが押し下げ操作またはタッチ操作でデータ入力を行う入力装置が備えられており、ユーザはディスプレイユニットの表示を見ながら入力操作を行う。
【０００５】
しかし、携帯可能な従来の電子機器のディスプレイユニットは概して表示領域の大きさが小さく、入力装置もそれぞれの入力キーの大きさが小さいことが多いため、スムーズな入力操作が行いにくい。
【０００６】
この点、従来技術では、パーソナルコンピュータの表示画面上にＧＵＩ（Graphical  User  Interface）を表示し、そのＧＵＩ（Graphical  User  Interface）における操作ボタンをクリックすることによってリモコンと同じ信号を発生させてリモコン操作に応じた動作が行われるようにし、リモコン操作と同様の操作感覚をパーソナルコンピュータで実現している。
【０００７】
しかし、近年の携帯可能な従来の電子機器は、物理的な構造が可変であったり、ディスプレイユニットの表示形式が可変であることが多いところ、この種の電子機器に従来技術を適用しただけでは、同じＧＵＩ（Graphical  User  Interface）が表示されるに過ぎず、その電子機器を操作しているという操作感覚を得ることはできなかった。
【０００８】
そこで、本発明は上記課題を解決するためになされたもので、情報処理装置から携帯情報端末装置を作動させることができるとともに、携帯情報端末装置に変化があっても携帯情報端末装置の操作感覚が得られるようにする携帯情報端末連係システムおよび連係処理プログラム並びに携帯情報端末装置の動作と連係した動作を行う連係処理装置を提供することを目的とする。
【課題を解決するための手段】
【０００９】
上記課題を解決するため、本発明は、情報処理装置と携帯情報端末装置とを有する携帯情報端末連係システムであって、情報処理装置は携帯情報端末装置の外観を示す端末ＧＵＩ（Graphical  User  Interface）を表示させるＧＵＩ表示制御手段と、端末ＧＵＩ（Graphical  User  Interface）を用いて入力操作が行われたときに、その入力操作に対応する操作が携帯情報端末装置で行われたときの動作を携帯情報端末装置に実行させる動作制御手段と、携帯情報端末装置の外観の変化を検知する検知手段と、検知手段が検知した外観の変化に応じて端末ＧＵＩ（Graphical  User  Interface）を変更する端末ＧＵＩ変更手段とを有する携帯情報端末連係システムを特徴とする。
【００１０】
また、本発明は携帯情報端末装置と連係した動作を行う連係処理装置としてコンピュータを作動させるための連係処理プログラムであって、コンピュータに、携帯情報端末装置の外観を示す端末ＧＵＩ（Graphical  User  Interface）を表示させるＧＵＩ表示制御機能と、端末ＧＵＩ（Graphical  User  Interface）を用いて入力操作が行われたときに、その入力操作に対応する操作が携帯情報端末装置で行われたときの動作を携帯情報端末装置に実行させる動作制御機能と、携帯情報端末装置の外観の変化を検知する検知機能と、検知手段が検知した外観の変化に応じて端末ＧＵＩ（Graphical  User  Interface）を変更する端末ＧＵＩ変更機能とを実現させるための連係処理プログラムを提供する。
【００１１】
さらに、本発明は、携帯情報端末装置とともに携帯情報端末連係システムを構成する連係処理装置であって、携帯情報端末装置の外観を示す端末ＧＵＩ（Graphical  User  Interface）を表示させるＧＵＩ表示制御手段と、端末ＧＵＩ（Graphical  User  Interface）を用いて入力操作が行われたときに、その入力操作と対応する操作が携帯情報端末装置で行われたときの動作を携帯情報端末装置に実行させる動作制御手段と、携帯情報端末装置の外観の変化を検知する検知手段と、検知手段が検知した外観の変化に応じて端末ＧＵＩ（Graphical  User  Interface）を変更する端末ＧＵＩ変更手段とを有する連係処理装置を提供する。
【発明の効果】
【００１２】
以上詳述したように、本発明によれば、情報処理装置から携帯情報端末装置を作動させることができるとともに、携帯情報端末装置に変化があっても携帯情報端末装置の操作感覚が得られるようにする携帯情報端末連係システムおよび連係処理プログラム並びに携帯情報端末装置の動作と連係した動作を行う連係処理装置が得られる。
【発明を実施するための最良の形態】
【００１３】
以下、本発明の実施の形態について説明する。なお、同一要素には同一符号を用い、重複する説明は省略する。
【００１４】
図１は本発明の実施の形態に係る携帯情報端末連係システム１の構成を示す図である。図示のとおり、携帯情報端末連係システム１はノートブック型のパーソナルコンピュータ（以下「コンピュータ」という）１００と、携帯電話装置２００とを有している。
【００１５】
携帯情報端末連係システム１は、コンピュータ１００と、携帯電話装置２００とがＵＳＢケーブル１５１によって接続され、携帯電話装置２００と連係した動作をコンピュータ１００が行うように構成されている。また、図示はしないが、コンピュータ１００と、携帯電話装置２００とが無線ＬＡＮで接続されていてもよく、Bluetoothにより接続されていてもよい。
【００１６】
次に、図２は、コンピュータ１００の外観を示す斜視図である。コンピュータ１００は、コンピュータ本体３と、コンピュータ本体３に対して開閉自在のディスプレイユニット５とを備えている。
【００１７】
ディスプレイユニット５には、ＴＦＴ−ＬＣＤ（Thin Film Transistor Liquid Crystal Display）７が組み込まれており、そのＬＣＤ７の表示画面はディスプレイユニット５のほぼ中央に位置している。
【００１８】
コンピュータ１００はＬＣＤ７によって、後述する端末ＧＵＩ（Graphical  User  Interface）２０を表示する表示装置としての機能を有している。
【００１９】
ディスプレイユニット５は、コンピュータ本体３に対して開放位置と閉塞位置との間を回動自在に取り付けられている。コンピュータ本体３は、薄い箱形の筐体を有しており、その上面にはキーボード９、コンピュータ１００をパワーオン／パワーオフするためのパワーボタン１１、タッチパッド１５、及びクリックボタン１７が配置されている。
【００２０】
また、コンピュータ１００は、ＨＤ  ＤＶＤ規格のＤＶＤメディアに格納された（ＨＤ  ＤＶＤＶｉｄｅｏ規格の）オーディオ・ビデオ（ＡＶ）コンテンツを再生することができる。コンピュータ本体３の側面には、そのＤＶＤメディアを出し入れするためのスロット１９が設けられている。
【００２１】
そして、図３に示すように、コンピュータ１００は、ＣＰＵ１０１、ノースブリッジ１０３、メインメモリ１０５、グラフィックスコントローラ１０７、ビデオメモリ（ＶＲＡＭ）１０７ａ、サウスブリッジ１０９、ＢＩＯＳ−ＲＯＭ１１１、サウンドコントローラ１１３を有している。
【００２２】
また、コンピュータ１００は、ハードディスクドライブ（ＨＤＤ）１１７、ＨＤ  ＤＶＤドライブ１１９、エンベデッドコントローラ／キーボードコントローラＩＣ（ＥＣ／ＫＢＣ）１２１、ネットワークコントローラ１２３、デジタルＴＶチューナ１２５、ＵＳＢ（Universal  Serial  Bus）端子１２６等を備えている。
【００２３】
ＣＰＵ１０１は、コンピュータ１００の動作を制御するプロセッサであり、ＨＤＤ１１７からメインメモリ１０５にロードされる各種プログラムを実行する。このＣＰＵ１０１によって実行される各種プログラムとしては、オペレーティングシステム、ＨＤ  ＤＶＤ  Ｖｉｄｅｏ規格のＡＶコンテンツを再生するＨＤ  ＤＶＤプレーヤアプリケーションプログラム、デジタルＴＶ放送を視聴可能とするためのＴＶアプリケーション、連係処理プログラム１３１等が存在する。
【００２４】
詳しくは後述するが、連係処理プログラム１３１はコンピュータ１００を携帯情報端末装置に連係させるためのプログラムであって、ＤＶＤメディアから読み取ってＨＤＤ１１７にインストールされ、または図示しないサーバからネットワークを介してダウンロードしてＨＤＤ１１７に記録されている。
【００２５】
コンピュータ１００はこの連係処理プログラム１３１にしたがい各種の手段としての動作を行う連携処理装置としての機能を有している。
【００２６】
また、ＣＰＵ１０１は、ＢＩＯＳ−ＲＯＭ１１１に格納されたＢＩＯＳ（Basic Input Output System；ハードウエア制御のためのプログラム）も実行する。
【００２７】
ノースブリッジ１０３は、ＣＰＵ１０１のローカルバスとサウスブリッジ１０９との間を接続するブリッジデバイスである。ノースブリッジ１０３には、メインメモリ１０５をアクセス制御するメモリコントローラも内蔵されている。
【００２８】
また、ノースブリッジ１０３はＰＣＩ  ＥＸＰＲＥＳＳ規格のシリアルバスなどを介してグラフィックスコントローラ１０７との通信を実行する機能も有している。
【００２９】
グラフィックスコントローラ１０７は、コンピュータ１００のディスプレイモニタとして使用されるＬＣＤ７を制御する表示コントローラである。グラフィックスコントローラ１０７は、ブレンド処理、スケーリング処理、ルーマキー処理等の画像処理機能を有している。
【００３０】
このグラフィックスコントローラ１０７によって生成される表示信号は、ＬＣＤ７に送られる。また、表示信号は、コンピュータ本体３に設けられたインターフェースを介して外部のＴＶやＨＤＭＩモニタに送出することもできる。
【００３１】
サウスブリッジ１０９は、ＰＣＩ（Peripheral Component Interconnect）バス上の各デバイス及びＬＰＣ（Low Pin Count）バス上の各デバイスを制御する。また、サウスブリッジ１０９は、ＨＤＤ１１７、ＨＤ  ＤＶＤドライブ１１９を制御するためのＩＤＥ（Integrated  Drive  Electronics）コントローラを内蔵している。
【００３２】
更に、サウスブリッジ１０９は、サウンドコントローラ１１３との通信を実行する機能も有している。サウンドコントローラ１１３は音源デバイスであり、再生対象のオーディオデータをスピーカ１１３ａに出力する。
【００３３】
エンベデッドコントローラ／キーボードコントローラＩＣ（ＥＣ／ＫＢＣ）１２１は、電力管理のためのエンベデッドコントローラと、キーボード９、タッチパッド１５、及びクリックボタン１７を制御するためのキーボードコントローラと、が集積された１チップマイクロコンピュータである。
【００３４】
タッチパッド１５が操作されると操作信号が生成され、この操作信号に基づいてＬＤＣ７の表示画面上に表示されたカーソルが移動する。また、このＥＣ／ＫＢＣ１２１は、ユーザによるパワーボタン１１の操作に応じてコンピュータ１００をパワーオン／パワーオフする機能を有している。
【００３５】
コンピュータ１００はデジタルＴＶ放送の視聴を可能にするため、デジタルＴＶチューナ１２５を備えており、ＣＰＵ１０１に前述のＴＶアプリケーションを実行させることにより、チューナ１２５で受信されるデジタル放送波に基づくＴＶ映像をＬＣＤ７に表示する。ＵＳＢ端子１２６は、サウスブリッジ１０９に接続され、ＵＳＢケーブル１５１が接続されている。このＵＳＢケーブル１５１を介して携帯情報端末装置が接続されるようになっている。
【００３６】
そして、コンピュータ１００は端末ＧＵＩ２０を表示するための端末ＧＵＩ表示データをＨＤＤ１１７に記憶している。
【００３７】
端末ＧＵＩ表示データは、コンピュータ１００に接続され、コンピュータ１００による連係処理が予定されている携帯情報端末装置（本実施の形態では、携帯電話装置２００，３００）の外観（形状、色、大きさなど）を忠実に再現したＧＵＩ（端末ＧＵＩという）を表示するためのデータであって、機種ごとに、かつ各機種の変化した物理的な構造または表示形式ごとに個別のデータが設定されている。
【００３８】
本実施の形態では、携帯電話装置２００用のデータと、携帯電話装置３００のデータとが用意され、そのそれぞれにおいて、各機種で想定される変化した物理的な構造または表示形式ごとに個別のデータが設定されている。
【００３９】
詳しくは後述するが、例えば携帯電話装置２００では、キーパッド収納状態の外観を忠実に再現した端末ＧＵＩを表示するためのデータと、キーパッド取出状態の外観を忠実に再現した端末ＧＵＩを表示するためのデータとが設定されている。また、そのそれぞれにおいて仕向地に応じた言語で端末ＧＵＩを表示するためのデータが設定されている。
【００４０】
そして、携帯電話装置２００はＬＣＤ表示部２０１と、操作部２０２を有し、その両者からなる本体部に対して出し入れ自在のキーパッド２０３を有している（図７、８参照）。
【００４１】
また、携帯電話装置３００はＬＣＤ表示部３０１とキー入力部３０２とを有し、これらを備えた本体部に対し、出し入れ自在のキーパッド３０３を有している（図１１、１２参照）。
【００４２】
次に、連係処理プログラム１３１により行われる連係処理の動作内容について、図４〜図６を参照して説明する。連係処理プログラム１３１はＵＳＢ端子１２６にＵＳＢケーブル１５１を介して携帯電話装置２００や携帯電話装置３００といった携帯情報端末装置が接続されているときにＣＰＵ１０１により実行される。
【００４３】
ＣＰＵ１０１は連係処理プログラム１３１にしたがい動作を開始すると、受信手段としての動作を行い、ネットワークコントローラ１２３を作動させて接続されている携帯情報端末装置（例えば携帯電話装置２００）から、機種情報および仕向地情報を受信する（Ｓ１）。
【００４４】
ここで、機種情報とは、コンピュータ１００に接続される携帯電話装置２００，３００といった携帯情報端末の機種を特定するための情報である。ＣＰＵ１０１はこの機種情報を接続されている携帯情報端末装置が携帯電話装置２００なのかそれとも携帯電話装置３００なのかを判定するために用いる。
【００４５】
また、仕向地情報とは、携帯情報端末装置が使用される国を特定するための情報である。ＣＰＵ１０１はこの仕向地情報を携帯情報端末装置が使用される国を特定し、その国に応じた言語で端末ＧＵＩ２０を表示するために用いる。すると例えば、携帯電話装置２００の仕向地が日本の場合は日本語で端末ＧＵＩ２０が表示され、中国であれば中国語で端末ＧＵＩ２０が表示される。
【００４６】
次に、ＣＰＵ１０１は受信した機種情報および仕向地情報に基づき端末ＧＵＩ２０を表示させるため、ＨＤＤ１１７に記録されている端末ＧＵＩ表示データの中から受信した機種情報および仕向地情報に対応したデータを選び出して、初期設定（デフォルト）の端末ＧＵＩ表示データを設定する（Ｓ２）。
【００４７】
続いて、ＣＰＵ１０１はＳ３に動作を進めて接続されている携帯情報端末装置から後述する切替情報を受信したときに検知手段としての動作を行い携帯情報端末装置の外観の変化を検知してＳ４に動作を進め、そうでなければＳ５に動作を進める。
【００４８】
ＣＰＵ１０１はＳ４に動作を進めると端末ＧＵＩ変更手段としての動作を行い、受信した切替情報に基づく端末ＧＵＩ表示データ変更処理（詳しくは後述する）を行って端末ＧＵＩ表示データを変更する。その後、ＣＰＵ１０１はＳ７に動作を進める。
【００４９】
また、ＣＰＵ１０１はＳ５に動作を進めると、タッチパッド１５やクリックボタン１７を用いた後述する変更操作があったか否かを判定し、変更操作があったときはＳ６に動作を進めるが、そうでなければＳ７に動作を進める。
【００５０】
ＣＰＵ１０１はＳ６に動作を進めるときも端末ＧＵＩ変更手段としての動作を行い、変更操作に基づく端末ＧＵＩ表示データ変更処理（詳しくは後述する）を行い、端末ＧＵＩ表示データを変更する。その後、ＣＰＵ１０１はＳ７に動作を進める。
【００５１】
そして、ＣＰＵ１０１はＳ７に動作を進めると、ＧＵＩ表示制御手段としての動作を行い、デフォルトの端末ＧＵＩ表示データまたはＳ４若しくはＳ６で変更された端末ＧＵＩ表示データにしたがい端末ＧＵＩ２０を表示させる。
【００５２】
この場合、ＣＰＵ１０１はＤＭＩ（Desktop  Management  Interface）情報からＬＣＤ７の表示画面の縦横の寸法を読み取る読取機能、またシステムＡＰＩ（Application  Program  Interface）を用いてＬＣＤ７の解像度情報を読み取る読取機能を実現していて、その読み取った表示画面の寸法および解像度情報を用いて、設定されている端末ＧＵＩ表示データにしたがい接続されている携帯情報端末装置の外観を忠実に再現した端末ＧＵＩ２０を表示させる。
【００５３】
続いてＣＰＵ１０１はＳ８に動作を進め、タッチパッド１５やクリックボタン１７を用いた入力操作のうち、表示されている端末ＧＵＩ２０を用いた入力操作があったか否かを判定し、そのような入力操作があったときはＳ９に動作を進め、そうでなければＳ９を実行せずにＳ３に戻り携帯情報端末装置が接続されている間は上記の動作を繰り返す。
【００５４】
ＣＰＵ１０１はＳ９に動作を進めると、動作制御手段としての動作を行い、行われた入力操作に対応した動作を携帯情報端末装置に実行させるため、動作制御データをＵＳＢケーブル１５１を介して携帯情報端末装置に送信する。ＣＰＵ１０１はＳ９を実行後、Ｓ３に戻り携帯情報端末装置が接続されている間は上記の動作を繰り返す。
【００５５】
この動作制御データを送信することにより、ＣＰＵ１０１は入力操作に対応した動作（例えば電子メールの送信）を携帯情報端末装置に実行させる。その後、ＣＰＵ１０１はＳ３に戻る。
【００５６】
以上のようにすることにより、コンピュータ１００は接続されている携帯情報端末装置（例えば、携帯電話装置２００）の外観を忠実に再現した携帯情報端末装置そのものを示す端末ＧＵＩ２０をＬＣＤ７に表示することができる。しかも、携帯情報端末装置から切替情報を受信したときや変更操作があったときはそれに応じて端末ＧＵＩ２０を変更することができる。
【００５７】
また、端末ＧＵＩ２０を用いた入力操作があったときはその入力操作に対応した動作を携帯情報端末装置に実行させることができる。そのため、コンピュータ１００は入力操作を行いにくい携帯情報端末装置に変わった入力操作を行え、携帯情報端末装置の代用になる。
【００５８】
そして、切替情報に基づく端末ＧＵＩ表示データ変更処理は図５に示すフローチャートに沿って行われる。ここで、切替情報とは、接続されている携帯情報端末装置における物理的構造または表示形式の切替えを示す情報であって、例えば、携帯電話装置２００におけるキーパッド引出しまたはキーパッド収納があったことを示す情報である。ＣＰＵ１０１はこの切替情報により、携帯情報端末装置における外観の変化を検知している。
【００５９】
ＣＰＵ１０１は動作を開始するとＳ１１に動作を進め、切替情報がキーパッド引出しを示す情報か否かを判定し、その場合はＳ１２、そうでなければＳ１３に動作を進める。Ｓ１２では、端末ＧＵＩ表示データをキーパッド引出状態に応じたデータに変更する。
【００６０】
また、Ｓ１３では、切替情報がキーパッド収納を示す情報か否かを判定し、その場合はＳ１４、そうでなければＳ１５に動作を進める。Ｓ１４では、端末ＧＵＩ表示データをキーパッド収納状態に応じたデータに変更する。
【００６１】
さらに、Ｓ１５では、切替情報が画面表示方向のポートレート表示からランドスケープ表示への切替えを示す情報か否かを判定し、その場合はＳ１６、そうでなければＳ１７に動作を進める。Ｓ１６では、端末ＧＵＩ表示データをランドスケープ表示に応じたデータに変更する。
【００６２】
また、Ｓ１７では、切替情報が画面表示方向のランドスケープ表示からポートレート表示への切替えを示す情報か否かを判定し、その場合はＳ１８、そうでなければ動作を終了する。Ｓ１８では、端末ＧＵＩ表示データをポートレート表示に応じたデータに変更する。
【００６３】
このように、接続されている携帯情報端末装置においてキーパッドの引出しや収納といった物理的構造の切替えがあった場合や、ランドスケープ表示からポートレート表示への切替えといった表示形式の切替えがあるとそれに応じて携帯情報端末装置の外観が変わるので、そのことを示す切替情報を携帯情報端末装置からコンピュータ１００に通知し、コンピュータ１００がその切替情報にしたがい端末ＧＵＩ表示データを変更している。
【００６４】
次に、変更操作に基づく端末ＧＵＩ表示データ変更処理は図６に示すフローチャートに沿って行われる。変更操作とは、ユーザがタッチパッド１５などを用いて端末ＧＵＩ２０を手動で変えるための操作である。
【００６５】
ＣＰＵ１０１は動作を開始するとＳ２１に動作を進め、変更操作がキーパッド引出しを示す情報か否かを判定して、その場合はＳ２２、そうでなければＳ２３に動作を進める。Ｓ２２では、端末ＧＵＩ表示データをキーパッド引出状態に応じたデータに変更する。
【００６６】
また、Ｓ２３では、変更操作がキーパッド収納を示す情報か否かを判定し、その場合はＳ２４、そうでなければＳ２５に動作を進める。Ｓ２４では、端末ＧＵＩ表示データをキーパッド収納状態に応じたデータに変更する。
【００６７】
さらに、Ｓ２５では、変更操作がＬＣＤ組込を示す情報か否かを判定し、その場合はＳ２６、そうでなければＳ２７に動作を進める。Ｓ２６では、端末ＧＵＩ表示データをＬＣＤ組込状態に応じたデータに変更する。
【００６８】
また、Ｓ２７では、変更操作がＬＣＤ取外しを示す情報か否かを判定し、その場合はＳ２８、そうでなければ動作を終了する。Ｓ２８では、端末ＧＵＩ表示データをＬＣＤ取外し状態に応じたデータに変更する。
【００６９】
このように、ユーザがコンピュータ１００において変更操作を行うと、携帯情報端末装置の物理的構造や表示形式の切替えがなくても、その行われた変更操作にしたがい端末ＧＵＩ表示データが変更されるようになっている。そのため、コンピュータ１００では、携帯情報端末装置をそのままにしておいてもユーザが手動で端末ＧＵＩ２０を変更できるようになっている。
【００７０】
そして、ＣＰＵ１０１が以上のようにして作動することにより、端末ＧＵＩ２０が次のようにして表示される。
【００７１】
まず、携帯電話装置２００を例えば図７に示すようにキーパッド２０３の収納状態で接続したときは、初期設定の端末ＧＵＩ表示データは、キーパッド２０３の収納状態で設定される。
【００７２】
それから携帯電話装置２００の構造または表示形式に変化がなく、ユーザが変更操作を行わないときは、初期設定の端末ＧＵＩ表示データにしたがって端末ＧＵＩ２０が表示される。
【００７３】
したがって、この場合、図７に示すように、端末ＧＵＩ２０は携帯電話装置２００におけるキーパッド２０３の収納状態の外観を忠実に再現した画像を用いて表示される。
【００７４】
ところが、ユーザが携帯電話装置２００を操作して図８に示すようにキーパッド２０３を引き出したとする。すると、物理的な構造がキーパッド２０３の引出状態に切替えられたことを示す切替情報が携帯電話装置２００からコンピュータ１００に送信されるので、ＣＰＵ１０１がその切替情報を検知して図５においてＳ１１からＳ１２へと動作を進め、検知した切替情報に基づき端末ＧＵＩ表示データを変更する。
【００７５】
すると、図８に示すように、ＬＣＤ７には、キーパッド２０３の引出状態に変更された端末ＧＵＩ表示データにしたがい、携帯電話装置２００におけるキーパッド２０３の引出状態の外観を忠実に再現した画像を用いて端末ＧＵＩ２０が表示される。
【００７６】
これから逆に、キーパッド２０３を収納すると今度は物理的な構造がキーパッド２０３の収納状態に切替えられたことを示す切替情報が携帯電話装置２００からコンピュータ１００に送信される。ＣＰＵ１０１はその切替情報を検知して図５においてＳ１３からＳ１４へと動作を進め、検知した切替情報に基づき端末ＧＵＩ表示データを変更する。そのため、ＬＣＤ７には、図７に示したようにキーパッド２０３の収納状態の端末ＧＵＩ２０が表示される。
【００７７】
次に、ＬＣＤ７に表示されている端末ＧＵＩ２０について、ユーザが図９に示すＬＣＤ表示部の組込状態からＬＣＤ表示部を外側に取り出す操作を行ったとする。
【００７８】
すると、そのことを示す変更操作をＣＰＵ１０１が検知して図６においてＳ２７からＳ２８へと動作を進め、検知した変更操作を示す情報に基づき、端末ＧＵＩ表示データを変更する。
【００７９】
すると、図１０に示すように、ＬＣＤ表示部２０１が取り外された本体部２５と、ＬＣＤ表示部２４とに分かれた端末ＧＵＩ２６が表示される。この場合、ＬＣＤ表示部２４は本体部２５からの取外しに伴い、大きさが大きく変更されている。これにより、ＬＣＤ表示部２４が見やすくなる。
【００８０】
また、逆にユーザがＬＣＤ表示部２０１を図９に示す組込状態に戻す操作を行うと、そのことを示す変更操作をＣＰＵ１０１が検知して図６においてＳ２５からＳ２６へと動作を進め、検知した変更操作を示す情報に基づき、端末ＧＵＩ表示データを変更する。この場合、端末ＧＵＩ２０は図９に示すようなＬＣＤ表示部２０１の組込状態で表示される。
【００８１】
次に、ユーザがＵＳＢ端子１２６から携帯電話装置２００を外し、代わりに携帯電話装置３００を接続したとする。
【００８２】
そして、携帯電話装置３００についても携帯電話装置２００の場合と同様に、キーパッド３０３の出し入れに応じて端末ＧＵＩ３０が変更される。さらに、この変更に加えて携帯電話装置３００では、キーパッド３０３を引き出したときに、ＬＣＤ表示部３０１における表示形式がポートレート表示からランドスケープ表示に変更される。
【００８３】
すると、画面表示方向がポートレート表示からランドスケープ表示に変更されたことを示す切替情報が携帯電話装置３００からコンピュータ１００に送信される。ＣＰＵ１０１はその切替情報を検知して図５においてＳ１５からＳ１６へと動作を進め、検知した切替情報に基づき端末ＧＵＩ表示データを変更する。
【００８４】
そのため、ＬＣＤ７には、図１１に示したように、ポートレート表示の端末ＧＵＩ３０が表示されていたところ、図１２に示したように、ランドスケープ表示の端末ＧＵＩ３３が表示される。
【００８５】
逆に、キーパッド３０３を収納したときに、ＬＣＤ表示部３０１における画面表示方向がランドスケープ表示からポートレート表示に変更されるので、そのことを示す切替情報が携帯電話装置３００からコンピュータ１００に送信される。ＣＰＵ１０１はその切替情報を検知して図５においてＳ１７からＳ１８へと動作を進め、検知した切替情報に基づき端末ＧＵＩ表示データを変更する。
【００８６】
つまり、携帯電話装置３００がポートレート表示の場合は図１１に示すように端末ＧＵＩ３０もポートレート表示、ランドスケープ表示の場合は図１２に示すように端末ＧＵＩ３３もランドスケープ表示となる。なお、ランドスケープ表示の場合、端末ＧＵＩは本体部３１、キー入力部３２が横向きに表示された端末ＧＵＩ３３が表示される。
【００８７】
以上のように、携帯情報端末連係システム１では、コンピュータ１００が接続されている携帯情報端末装置の物理的な構造や表示形式の変更による外観の変化を検知すると、その検知した外観の変化に応じて変更した端末ＧＵＩ２０を表示させ、携帯情報端末装置に連係した動作を行うようになっている。
【００８８】
しかも、携帯情報端末装置に連係して変更される端末ＧＵＩ２０を用いた操作をコンピュータ１００で行うと、その操作に応じた動作を携帯情報端末装置に実行させることができる。
【００８９】
そのため、コンピュータ１００を用いて携帯情報端末装置を作動させることができるだけでなく、携帯情報端末装置に外観の変化があっても、変化後の外観を忠実に再現した端末ＧＵＩ２０を用いて操作を行えるので、携帯情報端末装置を直に操作しているという操作感覚が確実に得られるようになっている。
【００９０】
また、コンピュータ１００は携帯情報端末装置から機種情報および仕向地情報を受信し、それらに応じた端末ＧＵＩを表示するので、表示される端末ＧＵＩが接続されている個々の機種に応じたものとなり、表示される言語も接続されている個々の機種に応じたものとすることができる。
【００９１】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【００９２】
コンピュータ１００は本実施の形態では、例えば携帯可能なノート型のパソコンを想定しているが、本発明はノート型のパソコンに限定されるものではない。
【図面の簡単な説明】
【００９３】
【図１】本発明の実施の形態に係る携帯情報端末連係システムの構成を示す図である。
【図２】本発明の一実施形態に係るコンピュータの外観を示す斜視図である。
【図３】図１のコンピュータ内部の構成を示すブロック図である。
【図４】連係処理プログラムにより行われる連係処理の動作手順を示すフローチャートである。
【図５】切替情報に基づく端末ＧＵＩ表示データ変更処理の動作手順を示すフローチャートである。
【図６】変更操作に基づく端末ＧＵＩ表示データ変更処理の動作手順を示すフローチャートである。
【図７】キー入力部の収納状態における携帯電話装置および端末ＧＵＩの一例を示す図である。
【図８】キー入力部の引出し状態における携帯電話装置および端末ＧＵＩの一例を示す図である。
【図９】キー入力部の収納状態における携帯電話装置に対応した端末ＧＵＩの一例を示す図である。
【図１０】ＬＣＤ表示部の取外し状態における携帯電話装置に対応した端末ＧＵＩの一例を示す図である。
【図１１】図７とは異なる縦向き状態の携帯電話装置と、対応する端末ＧＵＩの一例を示す図である。
【図１２】図１１と同じ携帯電話装置の横向き状態と、対応する端末ＧＵＩの一例を示す図である
【符号の説明】
【００９４】
１…携帯情報端末連係システム、７…ＬＣＤ、２０…端末ＧＵＩ、２４…ＬＣＤ表示部、１００…コンピュータ、１０１…ＣＰＵ、１３１…メニュー表示制御プログラム、２００，３００…携帯電話装置、２０１，３０１…ＬＣＤ表示部、２０２，３０２…操作部、２０３，３０３…キーパッド、連係処理プログラム。
【図１】
0004908360.tif 000002
【図２】
0004908360.tif 000003
【図３】
0004908360.tif 000004
【図４】
0004908360.tif 000005
【図５】
0004908360.tif 000006
【図６】
0004908360.tif 000007
【図７】
0004908360.tif 000008
【図８】
0004908360.tif 000009
【図９】
0004908360.tif 000010
【図１０】
0004908360.tif 000011
【図１１】
0004908360.tif 000012
【図１２】
0004908360.tif 000013